(57)【要約】熱交換器に流入される液化ガスの流量と温度を測定し、必要な熱量を計算し、計算された熱量をもとに熱伝達媒体を適切に加熱するフィードフォワード制御を行うことにより、効率的に液化ガスを需要先の要求温度に合わせることができる液化ガス処理システム及びその方法を提供する。液化ガス処理システムは、液化ガス貯蔵タンク１０から需要先２０まで連結された液化ガス供給ライン２１と、液化ガス供給ライン２１上に設けられ、液化ガス貯蔵タンク１０から排出された液化ガスを加圧するポンプ３０と、需要先２０とポンプ３０との間の液化ガス供給ライン２１上に設けられ、ポンプ３０から供給される液化ガスを熱伝達媒体と熱交換させる熱交換器５０と、熱伝達媒体を加熱する媒体ヒータ６３と、媒体ヒーター６３から熱交換器５０まで連結された媒体循環ライン６４と、熱交換器５０に供給される液化ガスの流量に基づいて媒体ヒーター６３に流入される熱伝達媒体の流量または前記媒体ヒーター６３が熱伝達媒体に供給する熱量を可変するコントローラ９０と、を含む。
2014520240.tif 000002
【特許請求の範囲】
【請求項１】
液化ガス貯蔵タンクから需要先まで連結された液化ガス供給ラインと、
前記液化ガス供給ライン上に設けられ、前記液化ガス貯蔵タンクから排出された液化ガスを加圧するポンプと、
前記需要先と前記ポンプとの間の前記液化ガス供給ライン上に設けられ、前記ポンプから供給される液化ガスを熱伝達媒体と熱交換させる熱交換器と、
前記熱伝達媒体を加熱する媒体ヒータと、
前記媒体ヒーターから前記熱交換器まで連結された媒体循環ラインと、
前記熱交換器に供給される液化ガスの流量に基づいて前記媒体ヒーターに流入される前記熱伝達媒体の流量または前記媒体ヒーターが前記熱伝達媒体に供給する熱量を可変するコントローラと、
を含むことを特徴とする液化ガス処理システム。
【請求項２】
前記熱交換器に供給される前記液化ガスの流量を算出し、前記液化ガスの流量及び前記需要先が要求する液化ガスの状態に基づいて、前記熱伝達媒体の必要熱量を計算する熱量算出器をさらに含み、
前記コントローラは、前記熱量算出器から前記熱伝達媒体の必要熱量の伝達を受け、前記媒体ヒーターに流入される前記熱伝達媒体の流量または前記媒体ヒーターが前記熱伝達媒体に供給する熱量を可変することを特徴とする請求項１に記載の液化ガス処理システム。
【請求項３】
前記熱量算出器は、前記ポンプの駆動程度により前記液化ガスの流量を算出することを特徴とする請求項２に記載の液化ガス処理システム。
【請求項４】
前記ポンプの駆動程度は、前記ポンプのＲＰＭであることを特徴とする請求項３に記載の液化ガス処理システム。
【請求項５】
前記液化ガス供給ライン上に設けられ、前記液化ガスの温度を測定する液化ガス温度センサーをさらに含み、
前記熱量算出器は、前記液化ガスの流量、前記液化ガスの温度、前記需要先の液化ガスの要求温度を用いて前記熱伝達媒体の必要熱量を計算することを特徴とする請求項２に記載の液化ガス処理システム。
【請求項６】
前記液化ガス温度センサは、前記液化ガス供給ライン上で前記ポンプと前記熱交換器との間に設けられることを特徴とする請求項５に記載の液化ガス処理システム。
【請求項７】
少なくとも一部の熱伝達媒体が前記媒体循環ラインから分岐されて前記媒体ヒーターを迂回させる分岐ラインをさらに含み、
前記コントローラは、前記分岐ライン上に設けられる迂回制御弁を介して前記分岐ラインに流入される前記熱伝達媒体の流量を調節することを特徴とする請求項１に記載の液化ガス処理システム。
【請求項８】
前記熱伝達媒体を貯蔵する媒体タンクと、
前記媒体タンクに貯蔵された前記熱伝達媒体を前記媒体ヒーターに供給する媒体ポンプとをさらに含むが、
前記コントローラは、前記媒体ポンプの駆動を制御して前記媒体ポンプから前記媒体ヒーターに供給される前記熱伝達媒体の流量を制御することを特徴とする請求項１に記載の液化ガス処理システム。
【請求項９】
前記媒体ヒーターに熱源を供給する熱源供給ラインと、
前記熱源供給ライン上に設けられ、前記熱源供給ラインの開度を調節する熱源供給弁とをさらに含むが、
前記コントローラは、前記熱源供給弁の開度を制御して前記媒体ヒーターが熱伝達媒体に供給する熱源の量を制御することを特徴とする請求項１に記載の液化ガス処理システム。
【請求項１０】
前記熱伝達媒体は、グリコールウォーターであることを特徴とする請求項１に記載の液化ガス処理システム。
【請求項１１】
液化ガスをポンプで加圧して熱交換器で熱伝達媒体で加熱して需要先に供給するが、媒体ヒーターが熱伝達媒体を加熱して前記熱交換器に供給する液化ガス処理システムを駆動する方法において、
前記熱交換器に供給される液化ガスの流量を算出する段階と、
前記液化ガスの流量に応じて前記媒体ヒーターに流入される熱伝達媒体の流量または前記媒体ヒーターが熱伝達媒体に供給する熱量を可変する段階と、
を含むことを特徴とする液化ガス処理方法。
【請求項１２】
前記需要先が要求する液化ガスの状態に基づいて、前記熱交換器に供給されるべき熱伝達媒体の必要熱量を計算する段階をさらに含み、
前記熱伝達媒体の流量または熱伝達媒体に供給する熱量を可変する段階は、前記熱伝達媒体の必要熱量に応じて前記媒体ヒーターに流入される熱伝達媒体の流量または前記媒体ヒーターが熱伝達媒体に供給する熱量を可変することを特徴とする請求項１１に記載の液化ガス処理方法。
【請求項１３】
前記液化ガスの流量を算出する段階は、前記ポンプの駆動程度により流量を算出することを特徴とする請求項１１に記載の液化ガス処理方法。
【請求項１４】
前記ポンプの駆動程度は、前記ポンプのＲＰＭであることを特徴とする請求項１３に記載の液化ガス処理方法。
【請求項１５】
前記液化ガスの温度を測定する段階をさらに含み、
前記必要熱量を計算する段階は、前記液化ガスの流量、前記液化ガスの温度及び前記需要先が要求する液化ガスの状態に基づいて前記熱伝達媒体の必要熱量を計算することを特徴とする請求項１２に記載の液化ガス処理方法。
【請求項１６】
前記温度を測定する段階は、前記ポンプと前記熱交換器との間の液化ガスの温度を測定することを特徴とする請求項１５に記載の液化ガス処理方法。
【請求項１７】
前記熱伝達媒体の流量を可変する段階は、少なくとも一部の熱伝達媒体が前記媒体ヒーターを迂回させるが、前記媒体ヒーターを迂回する熱伝達媒体の流量を制御する段階を含むことを特徴とする請求項１１に記載の液化ガス処理方法。
【請求項１８】
前記熱伝達媒体の流量を可変する段階は、前記媒体ヒーターに前記熱伝達媒体を供給する媒体ポンプの駆動を制御する段階を含むことを特徴とする請求項１１に記載の液化ガス処理方法。
【請求項１９】
前記熱伝達媒体の流量を可変する段階は、前記媒体ヒーターに流入された熱伝達媒体に供給される熱源の量を制御する段階を含むことを特徴とする請求項１１に記載の液化ガス処理方法。
【発明の詳細な説明】
【技術分野】
【０００１】
本発明は、液化ガス処理システム及びその方法に関する。
【背景技術】
【０００２】
近年、技術開発によってガソリンやディーゼルを代替して液化天然ガス（Ｌｉｑｕｅｆｉｅｄ  Ｎａｔｕｒａｌ  Ｇａｓ）、液化石油ガス（Ｌｉｑｕｅｆｉｅｄ  Ｐｅｔｒｏｌｅｕｍ  Ｇａｓ）などの液化ガスを広く使用している。液化天然ガスは、ガス田から採取した天然ガスを精製して得られたメタンを冷却して液化させたものであり、無色・透明な液体で汚染物質がほとんどなく、熱量が高くて非常に優れた燃料である。その反面、液化石油ガスは、油田から石油とともに出てくるプロパン（Ｃ３Ｈ８）とブタン（Ｃ４Ｈ１０）を主成分としたガスを常温で圧縮して液体に作った燃料である。液化石油ガスは、液化天然ガスと同様に、無色無臭であり、家庭用、業務用、工業用、自動車用などの燃料として広く使用されている。
【０００３】
このような液化ガスは、地上に設置されている液化ガス貯蔵タンクに貯蔵されるか、または海洋を航行する輸送手段である船舶に備えられている液化ガス貯蔵タンクに貯蔵され、液化天然ガスは液化によって１／６００の体積に減り、液化石油ガスは、液化によってプロパンは、１／２６０、ブタンは１／２３０の体積に減って貯蔵効率が高いという利点がある。
【０００４】
これらの液化ガスは、多様な需要先に供給されて使用されるが、最近は、液化天然ガスを運ぶＬＮＧ運搬船でＬＮＧを燃料として使用してエンジンを駆動するＬＮＧ燃料供給方式が開発されており、このようにエンジンの燃料としてＬＮＧを使用する方式は、ＬＮＧ運搬船以外の他の船舶にも適用されている。
【０００５】
しかしながら、エンジンなどの需要先が要求する液化ガスの温度及び圧力などは、液化ガス貯蔵タンクに貯蔵されている液化ガスの状態とは異なる場合がある。したがって、最近は液体の状態に貯蔵される液化ガスの温度及び圧力などを制御して需要先に供給するような技術について持続的な研究開発が行われている。
【発明の概要】
【発明が解決しようとする課題】
【０００６】
したがって、本発明は、上記のような従来技術の問題を解決しようと案出されたものであり、その目的は、熱交換器に流入される液化ガスの流量と温度を測定し、必要な熱量を計算し、計算された熱量をもとに熱伝達媒体を適切に加熱するフィードフォワード制御を行うことにより、効率的に液化ガスを需要先の要求温度に合わせることができる液化ガス処理システム及びその方法を提供することである。
【０００７】
また、本発明の他の目的は、液化ガスが必要な熱量をもとに熱伝達媒体の一部が媒体ヒーターを迂回させるが、媒体ヒーターを迂回する熱伝達媒体の流量を制御することにより、需要先に供給される液化ガスの温度を効率的に制御することができる液化ガス処理システム及びその方法を提供することである。
【０００８】
さらに、本発明のまた他の目的は、算出された熱伝達媒体の必要熱量に応じて媒体ポンプの駆動を制御し、媒体ヒーターの流入量を可変したり、媒体ヒーターから熱伝達媒体に供給される熱源の量を調節し、熱伝達媒体の必要熱量を容易に制御することができる液化ガス処理システム及びその方法を提供することである。
【課題を解決するための手段】
【０００９】
以上のように上記目的を達成するために本発明の一側面による液化ガス処理システムは、液化ガス貯蔵タンクから需要先まで連結された液化ガス供給ラインと、前記液化ガス供給ライン上に設けられ、前記液化ガス貯蔵タンクから排出された液化ガスを加圧するポンプと、前記需要先と前記ポンプとの間の前記液化ガス供給ライン上に設けられ、前記ポンプから供給される液化ガスを熱伝達媒体と熱交換させる熱交換器と、熱伝達媒体を加熱する媒体ヒータと、前記媒体ヒーターから前記熱交換器まで連結された媒体循環ラインと、前記熱交換器に供給される液化ガスの流量に基づいて、前記媒体ヒーターに流入される前記熱伝達媒体の流量または前記媒体ヒーターが前記熱伝達媒体に供給する熱量を可変するコントローラと、を含むことを特徴とする。
【００１０】
具体的には、前記熱交換器に供給される前記液化ガスの流量を算出し、前記液化ガスの流量及び前記需要先が要求する液化ガスの状態に基づいて、前記熱伝達媒体の必要熱量を計算する熱量算出器をさらに含み、前記コントローラは、前記熱量算出器から前記熱伝達媒体の必要熱量を受け、前記媒体ヒーターに流入される前記熱伝達媒体の流量または前記媒体ヒーターが前記熱伝達媒体に供給する熱量を可変することができる。
【００１１】
また、前記熱量算出器は、前記ポンプの駆動程度により前記液化ガスの流量を算出することができる。
【００１２】
また、前記ポンプの駆動程度は、前記ポンプのＲＰＭでありえる。
【００１３】
また、前記液化ガス供給ライン上に設けられ、前記液化ガスの温度を測定する液化ガス温度センサーをさらに含み、前記熱量算出器は、前記液化ガスの流量、前記液化ガスの温度、前記需要先の液化ガスの要求温度を用いて前記熱伝達媒体の必要熱量を計算することができる。
【００１４】
また、前記液化ガス温度センサは、前記液化ガス供給ライン上で前記ポンプと前記熱交換器との間に設けることができる。
【００１５】
また、少なくとも一部の熱伝達媒体が前記媒体循環ラインから分岐されて前記媒体ヒーターを迂回させる分岐ラインをさらに含み、前記コントローラは、前記分岐ライン上に設けられる迂回制御弁を介して前記分岐ラインに流入される前記熱伝達媒体の流量を調節することができる。
【００１６】
また、前記熱伝達媒体を貯蔵する媒体タンクと、前記媒体タンクに貯蔵された前記熱伝達媒体を前記媒体ヒーターに供給する媒体ポンプをさらに含むが、前記コントローラは、前記媒体ポンプの駆動を制御して前記媒体ポンプから前記媒体ヒーターに供給される前記熱伝達媒体の流量を制御することができる。
【００１７】
また、前記媒体ヒーターに熱源を供給する熱源供給ラインと、前記熱源供給ライン上に設けられ、前記熱源供給ラインの開度を調節する熱源供給弁をさらに含むが、前記コントローラは、前記熱源供給弁の開度を制御して前記媒体ヒーターが熱伝達媒体に供給する熱源の量を制御することができる。
【００１８】
また、前記熱伝達媒体は、グリコールウォーターでありえる。
【００１９】
さらに、本発明の一側面による液化ガス処理方法は、液化ガスをポンプで加圧して熱交換器で熱伝達媒体で加熱して需要先に供給するが、媒体ヒーターが熱伝達媒体を加熱して前記熱交換器に供給する液化ガス処理システムを駆動する方法において、前記熱交換器に供給される液化ガスの流量を算出する段階と、前記液化ガスの流量に応じて前記媒体ヒーターに流入される熱伝達媒体の流量または前記媒体ヒーターが熱伝達媒体に供給する熱量を可変する段階と、を含むことを特徴とする。
【００２０】
また、前記需要先が要求する液化ガスの状態に基づいて、前記熱交換器に供給される熱伝達媒体の必要熱量を計算する段階をさらに含み、前記熱伝達媒体の流量または熱伝達媒体に供給する熱量を調節可能する段階は、前記熱伝達媒体の必要熱量に応じて前記媒体ヒーターに流入される熱伝達媒体の流量または前記媒体ヒーターが熱伝達媒体に供給する熱量を可変することができる。
【００２１】
また、前記液化ガスの流量を算出する段階は、前記ポンプの駆動程度により流量を算出することができる。
【００２２】
また、前記ポンプの駆動程度は、前記ポンプのＲＰＭでありえる。
【００２３】
また、前記液化ガスの温度を測定する段階をさらに含み、前記必要熱量を計算する段階は、前記液化ガスの流量、前記液化ガスの温度及び前記需要先が要求する液化ガスの状態に基づいて前記熱伝達媒体の必要熱量を計算することができる。
【００２４】
また、前記温度を測定する段階は、前記ポンプと前記熱交換器との間の液化ガスの温度を測定することができる。
【００２５】
また、前記熱伝達媒体の流量を可変する段階は、少なくとも一部の熱伝達媒体が前記媒体ヒーターを迂回させるが、前記媒体ヒーターを迂回する熱伝達媒体の流量を制御する段階を含むことができる。
【００２６】
また、前記熱伝達媒体の流量を可変する段階は、前記媒体ヒーターに前記熱伝達媒体を供給する媒体ポンプの駆動を制御する段階を含むことができる。
【００２７】
また、前記熱伝達媒体の流量を可変する段階は、前記媒体ヒーターに流入された熱伝達媒体に供給される熱源の量を制御する段階を含むことができる。
【発明の効果】
【００２８】
以上のように本発明による液化ガス処理システム及びその方法によれば、熱交換器に流入される前の液化ガス流量と温度を介して、需要先の要求温度まで加熱されるために必要な熱量を計算し、計算された熱量を介して熱伝達媒体の加熱を制御するフィードフォワード制御を具現して、効率的に液化ガスを需要先の要求温度まで昇温させることができる。
【００２９】
また、本発明による液化ガス処理システム及びその方法は、熱交換器に流入される液化ガスの温度を液化ガス温度センサーで測定し、ポンプのＲＰＭを介して液化ガスの流量を把握した後、液化ガスの流量と温度をで必要な熱量を計算して、媒体ヒーターに流入される熱伝達媒体の流量を調節したり、熱伝達媒体に供給される熱源の量を調節することにより、液化ガスの温度を効率的に制御することができる。
【図面の簡単な説明】
【００３０】
【図１】従来の液化ガス処理システムの概念図である。
【図２】本発明の一実施例による液化ガス処理システムの概念図である。
【図３】本発明の一実施例による液化ガス処理方法のフローチャートである。
【図４】本発明の一実施例による液化ガス処理方法の段階Ｓ４０の詳細フローチャートである。
【発明を実施するための最良の形態】
【００３１】
以下、添付図面を参照して本発明の好ましい実施例について詳細に説明する。図１は、従来の液化ガス処理システムの概念図である。
【００３２】
図１に示したように、従来の液化ガス処理システム１は、液化ガス貯蔵タンク１０、需要先２０、ポンプ３０、電気ヒーター４０を含む。以下、本明細書では、液化ガスは、ＬＮＧやＬＰＧ、エチレン、アンモニアなどのように、一般的に液体の状態で保管されるすべてのガス燃料を包括する意味として使用することができ、加熱や加圧によって液体の状態でない場合などをも便宜上液化ガスに表現することができる。これは、蒸発ガスをも同様に適用されうる。
【００３３】
従来の液化ガス処理システム１は、エンジンなどである需要先２０に液化ガスを供給する際、電気ヒータ４０を使用して需要先２０が要求する温度で液化ガスを加熱し、液化ガスが需要先２０の要求温度まで加熱されたかどうかを確認するために電気ヒーター４０の下流から需要先２０に移動する液化ガスの温度を測定した。しかし、従来には、電気ヒーター４０の下流で液化ガスの温度を測定して電気ヒーター４０の加熱量を変化させることにより、液化ガスが適切でない温度で需要先２０に供給され、需要先２０の運転効率を低下させる恐れがある。
【００３４】
図２は、本発明の一実施例による液化ガス処理システムの概念図である。図２に示したように、本発明の一実施例による液化ガス処理システム２は、液化ガス貯蔵タンク１０、需要先２０、ポンプ３０、熱交換器５０、媒体供給装置６０、液化ガス温度センサ７０、熱量算出器８０、コントローラ９０を含む。本発明の一実施例では、液化ガス貯蔵タンク１０、需要先２０、ポンプ３０などは、従来の液化ガス処理システム１での各構成と便宜上同じ符号を使用するが、必ずしも同じ構成を指すものではない。
【００３５】
液化ガス貯蔵タンク１０は、需要先２０に供給されるべき液化ガスを貯蔵する。液化ガス貯蔵タンク１０は、液化ガスを液体状態で保管しなければならないが、このとき液化ガス貯蔵タンク１０は、圧力タンクの形態を持つことができる。
【００３６】
液化ガス貯蔵タンク１０は、外槽タンク（図示せず）、内槽タンク（図示せず）、断熱部を含む。外槽タンクは、液化ガス貯蔵タンク１０の外壁をなす構造としてスチールで形成されることができ、断面が多角形の形態になりうる。
【００３７】
内槽タンクは、外槽タンクの内部に備えられ、サポート（Ｓｕｐｐｏｒｔ；図示せず）によって外槽タンクの内部に支持設置することができる。このとき、サポートは内槽タンクの下端に具備されることができ、もちろん内槽タンクの左右流動を抑制するために内槽タンクの側面にも具備することができる。
【００３８】
内槽タンクは、ステンレス材質で形成されることができ、５ｂａｒないし１０ｂａｒ（例えば６ｂａｒ）の圧力に耐えられるように設計することができる。内槽タンクをこのように一定の圧力に耐えられるように設計するのは、内槽タンクの内部に備えられた液化ガスが蒸発して蒸発ガスが生成されることによって内槽タンクの内圧が上昇するからである。
【００３９】
内槽タンクの内部には、バッフル（Ｂａｆｆｌｅ；図示せず）が具備されうる。バッフルは、格子形態のプレートを意味し、バッフルが設置されることにより内槽タンク内部の圧力は均等に分布されて内槽タンクが一部に集中圧力を受けることを防止することができる。
【００４０】
断熱部は、内槽タンクと外槽タンクとの間に備えられ、外部の熱エネルギーが内槽タンクに伝達されることを防止することができる。このとき、断熱部は真空状態でありえる。断熱部を真空に形成することにより液化ガス貯蔵タンク１０は、一般的なタンクと比較したとき高い圧力により効率的に耐えることができる。一例として、液化ガス貯蔵タンク１０は、真空の断熱部によって５ｂａｒないし２０ｂａｒの圧力を耐えることができる。
【００４１】
このように本実施例では、真空形態の断熱部を外槽タンクと内槽タンクとの間に具備する圧力タンク型液化ガス貯蔵タンク１０を使用することにより、蒸発ガスの発生を最小限に抑えることができ、内圧が上昇しても液化ガス貯蔵タンク１０が破損するなどの問題が起きることを未然に防止することができる。
【００４２】
需要先２０は、液化ガス貯蔵タンク１０から液化ガスを供給してもらう。需要先２０は、液化ガスにより駆動されて動力を発生させるエンジンであり、一例として、船舶に搭載されているＭＥＧＩエンジンまたは二重燃料エンジンでありえる。
【００４３】
需要先２０が二重燃料エンジンである場合、液化ガスのＬＮＧとオイルが混合されて供給されず、ＬＮＧまたはオイルが選択的に供給されうる。これは、燃焼温度の異なる二つの物質が混在供給されることを防止し、効率の低下を防止するためである。
【００４４】
エンジンは、液化ガスの燃焼によりシリンダ（図示せず）内部のピストン（図示せず）が往復運動することにより、ピストンに連結されたクランク軸（図示せず）が回転し、クランク軸に連結されるシャフト（図示せず）が回転されうる。したがって、エンジン駆動時に最終的にシャフトに連結されたプロペラ（図示せず）が回転することにより、船体が前進または後進することになる。
【００４５】
もちろん、本実施例において需要先２０のエンジンは、プロペラを駆動するためのエンジンではあるが、発電のためのエンジンまたはその他の動力を発生させるためのエンジンでありえる。すなわち、本実施例では、エンジンの種類を特に限定しない。ただし、エンジンは液化ガスの燃焼によって駆動力を発生させる内燃機関でりえる。
【００４６】
液化ガス貯蔵タンク１０と需要先２０との間には、液化ガスを伝達する液化ガス供給ライン２１が設けられ、液化ガス供給ライン２１には、ポンプ３０、熱交換器５０などが具備されて液化ガスが需要先２０に供給されるようにすることができる。
この時、液化ガス供給ライン２１には、液化ガス供給弁（図示せず）が設置され、液化ガス供給弁の開度調節により液化ガスの供給量が調節されることができる。
【００４７】
また、液化ガス供給ライン２１には、液化ガス温度センサ７０が具備され、液化ガスの温度に基づいて液化ガスに熱を供給する熱伝達媒体の必要熱量を把握し、媒体ヒーター６３により加熱された熱伝達媒体の温度が適切に可変されることができる。これについては後述する。
【００４８】
ポンプ３０は、液化ガス供給ライン２１上に設けられ、液化ガス貯蔵タンク１０から排出された液化ガスを加圧する。ポンプ３０は、ブーストポンプ（Ｂｏｏｓｔｉｎｇ  Ｐｕｍｐ；３１）と高圧ポンプ（Ｈｉｇｈ  Ｐｒｅｓｓｕｒｅ  Ｐｕｍｐ；３２）を含むことができる。
【００４９】
ブーストポンプ３１は、液化ガス貯蔵タンク１０と高圧ポンプ３２との間の液化ガス供給ライン２１上に、または液化ガス貯蔵タンク１０内に設けることができ、高圧ポンプ３２に十分な量の液化ガスが供給されるようにして高圧ポンプ３２の空洞現象（Ｃａｖｉｔａｔｉｏｎ）を防止する。また、ブーストポンプ３１は、液化ガス貯蔵タンク１０から液化ガスを取り出して液化ガスを数乃至数十ｂａｒ以内に加圧することができ、ブーストポンプ３１を経た液化ガスは、１ｂａｒ乃至２５ｂａｒに加圧されることができる。
【００５０】
液化ガス貯蔵タンク１０に貯蔵された液化ガスは液体状態に置かれている。この時、ブーストポンプ３１は、液化ガス貯蔵タンク１０から排出される液化ガスを加圧して圧力及び温度を多少上げることができ、ブーストポンプ３１によって加圧された液化ガスは、依然として液体状態でありえる。
【００５１】
高圧ポンプ３２は、ブーストポンプ３１から排出された液化ガスを高圧で加圧し、需要先２０に液化ガスが供給されるようにする。液化ガスは、液化ガス貯蔵タンク１０から約１０ｂａｒ程度の圧力で排出された後、ブーストポンプ３１によって一次加圧されるが、高圧ポンプ３２は、ブーストポンプ３１によって加圧された液体状態の液化ガスを二次加圧して後述する熱交換器５０に供給する。この時、高圧ポンプ３２は、液化ガスを需要先２０から要求される圧力、例えば２００ｂａｒないし４００ｂａｒまで加圧し、需要先２０に供給することで、需要先２０が液化ガスにより動力を生産できるようにすることができる。
【００５２】
高圧ポンプ３２は、ブーストポンプ３１から排出される液体状態の液化ガスを高圧で加圧するが、液化ガスが超臨界点（Ｃｒｉｔｉｃａｌ  Ｐｏｉｎｔ）よりも高い温度及び高い圧力を持つ超臨界状態になるように相変化させることができる。このとき、超臨界状態の液化ガスの温度は、臨界温度よりも相対的に高い−２０゜以下になりうる。または、高圧ポンプ３２は、液体状態の液化ガスを高圧で加圧して過冷却液体状態に変化させることができる。ここで、過冷却液体状態の液化ガスとは、液化ガスの圧力が臨界圧力より高く、温度が臨界温度より低い状態を意味する。
【００５３】
具体的には、高圧ポンプ３２は、ブーストポンプ３１から排出される液体状態の液化ガスを２００ｂａｒないし４００ｂａｒまで高圧で加圧するが、液化ガスの温度が臨界温度より低い温度になるようにし、液化ガスを過冷却液体の状態に相変化させることができる。ここで、過冷却液体状態の液化ガスの温度は、臨界温度より相対的に低い−１４０℃乃至−６０℃になりうる。ただし、高圧ポンプ３２は、需要先２０が低圧エンジンの場合には省略することができる。すなわち、需要先２０が低圧エンジンの二重燃料エンジンの場合、液化ガスは、ブーストポンプ３１によって加圧された後、後述する熱交換器５０を介して需要先２０に供給されることができる。
【００５４】
熱交換器５０は、需要先２０とポンプ３０との間の液化ガス供給ライン２１上に設けられ、ポンプ３０から供給される液化ガスを熱伝達媒体と熱交換させて需要先２０に供給する。熱交換器５０に液化ガスを供給するポンプ３０は、高圧ポンプ３２でありえるし、熱交換器５０は、過冷却液体状態または超臨界状態の液化ガスを高圧ポンプ３２から排出される圧力である２００ｂａｒないし４００ｂａｒを維持しつつ加熱させ、３０℃〜６０℃の超臨界状態の液化ガスに変換した後、需要先２０に供給することができる。
【００５５】
本実施例での熱交換器５０は、後述する媒体ヒーター６３から供給される熱伝達媒体を使用して液化ガスを加熱することができる。この時、熱伝達媒体は、グリコールウォーターでありえるし、グリコールウォーターとは、エチレングリコールと水を混合した流体であり、媒体ヒーター６３で加熱されて熱交換器５０で冷却され、媒体循環ライン６４に沿って循環することができる。
【００５６】
熱交換器５０で液化ガスと熱交換した後、吐出される熱伝達媒体の温度は、前述の高圧ポンプ３２の液化ガスの相変化によって変わることができる。すなわち、高圧ポンプ３２が液化ガスを過冷却液体状態に相変化させた後、熱交換器５０に供給すると、熱伝達媒体は、過冷却液体状態の液化ガスを３０℃〜６０℃まで加熱しつつ冷却されることができ、または高圧ポンプ３２が液化ガスを超臨界状態に相変化させた後、熱交換器５０に供給すると、熱伝達媒体は、過冷却液体状態より温度の高い超臨界状態の液化ガスを需要先２０の要求温度まで加熱しつつ冷却されることができる。このとき、過冷却液体状態の液化ガスと熱交換する場合の熱伝達媒体は、超臨界状態の液化ガスと熱交換する場合の熱伝達媒体より低い温度に冷却された後、媒体タンク６１に循環されることができる。ただし、熱交換器５０に供給される熱伝達媒体の温度または流量は、熱交換器５０の前端で測定された液化ガスの流量、温度などにより、後述するコントローラ９０を介して異なる場合がある。
【００５７】
すなわち、本実施例では、熱交換器５０後端での液化ガスの温度により液化ガスの加熱程度を変化させるのではなく、熱交換器５０前端での液化ガスの状態により液化ガスに供給すべき熱量を可変させることで、熱交換器５０の下流には、常に需要先２０が要求する温度に適した液化ガスが需要先２０に供給されるようにすることができる。このようなフィードフォワード（Ｆｅｅｄ  Ｆｏｒｗａｒｄ）の制御については後述する。
【００５８】
媒体供給装置６０は、熱交換器５０に熱伝達媒体を供給する。媒体供給装置６０は、媒体タンク６１、媒体ポンプ６２、媒体ヒーター６３、媒体循環ライン６４、分岐ライン６５、熱源供給ライン６６を含む。
【００５９】
媒体タンク６１は、熱伝達媒体を貯蔵する。熱伝達媒体は、前述したように、グリコールウォーターでありえるし、媒体タンク６１は、グリコールウォーターのクラッキング（Ｃｒａｃｋｉｎｇ；水の相変化により、水とエチレングリコールが分離される現象）を防止することができる温度で熱伝達媒体を保管することができる。
【００６０】
媒体タンク６１の下流には、媒体ポンプ６２が具備され、媒体ポンプ６２によって一定量の熱伝達媒体が媒体タンク６１から媒体ヒーター６３に流入されることができる。また、媒体タンク６１の上流には、熱交換器５０が連結され、液化ガスに熱を供給し、冷却された熱伝達媒体が媒体タンク６１に再流入されることができる。
【００６１】
媒体タンク６１と媒体ポンプ６２、媒体ヒーター６３及び熱交換器５０は、媒体循環ライン６４によって連結することができる。すなわち、熱伝達媒体は、媒体循環ライン６４に沿って流動しつつ、媒体タンク６１、媒体ポンプ６２、媒体ヒーター６３、熱交換器５０の順に移動して加熱または冷却されることができる。
【００６２】
媒体ポンプ６２は、媒体タンク６１に貯蔵された熱伝達媒体を媒体ヒーター６３に供給する。媒体ポンプ６２は、媒体タンク６１の下流に具備されることができ、複数本に具備されていずれか一つの媒体ポンプ６２が破損した場合、もう一つの媒体ポンプ６２によって熱伝達媒体が円滑に供給されるようにすることができる。
【００６３】
媒体ポンプ６２は、後述するコントローラ９０によって駆動が制御され、媒体ヒーター６３に供給される熱伝達媒体の流量を制御することができる。すなわち、媒体ポンプ６２の駆動速度、圧力などがコントローラ９０によって可変されることができ、これは結局媒体ヒーター６３に流入される熱伝達媒体の流量が異なることを意味する。媒体ヒーター６３に流入される熱伝達媒体の流量変化は、媒体ヒーター６３から排出されて熱交換器５０に流入される熱伝達媒体の総熱量の変化を意味し、本実施例は、これにより、熱交換器５０から熱伝達媒体が液化ガスに供給する熱量を制御することができる。
【００６４】
媒体ヒーター６３は、媒体タンク６１から排出される熱伝達媒体を加熱した後、熱交換器５０に供給する。媒体ヒーター６３は、熱伝達媒体を一定の温度で加熱することにより、熱伝達媒体が熱交換器５０から十分な熱を液化ガスに供給させることができる。
【００６５】
媒体ヒーター６３は、電気エネルギーを使用して熱伝達媒体を加熱することもできるが、本実施例では蒸気を使用することができる。すなわち、媒体ヒーター６３には、熱源を供給する熱源供給ライン６６が連結され、熱源供給ライン６６は、ボイラー（図示せず）によって生成される蒸気を媒体ヒーター６３に供給し、蒸気は、熱伝達媒体に熱を供給し、熱伝達媒体は、蒸気を冷却させて熱伝達媒体は加熱されて、蒸気は凝縮水に凝縮されることができる。
【００６６】
この時、凝縮水は凝縮水タンク（図示せず）を介してボイラに流入されて蒸気に変化した後、再度媒体ヒーター６３に流入されることができ、蒸気によって加熱された熱伝達媒体は、媒体ヒーター６３から排出さして熱交換器５０に流入されることができる。
【００６７】
媒体循環ライン６４は、媒体ヒーター６３から熱交換器５０まで連結されて熱伝達媒体を循環させる。熱伝達媒体は、媒体循環ライン６４に沿って循環し、媒体ヒーター６３で加熱されて熱交換器５０で液化ガスによって冷却されることができる。また、媒体循環ライン６４は、媒体タンク６１、媒体ポンプ６２、媒体ヒーター６３、熱交換器５０を連結し、熱伝達媒体が循環されるようにすることができる。これにより、本実施例では、熱伝達媒体を再利用することで効率を向上させることができる。
【００６８】
もちろん、本実施例では、熱交換器５０から排出される熱伝達媒体の一部を外部に放出する媒体放出ライン（図示せず）を含むことができ、媒体放出ラインは、媒体循環ライン６４から分岐形成することができる。
【００６９】
分岐ライン６５は、少なくとも一部の熱伝達媒体が媒体循環ライン６４から分岐して媒体ヒーター６３を迂回させる。分岐ライン６５は、媒体循環ライン６４上で媒体ヒーター６３の上流地点で分岐し、媒体ヒーター６３の下流地点で合流することができる。
【００７０】
分岐ライン６５を介して媒体ヒーター６３を迂回した熱伝達媒体と、分岐ライン６５に流入されず、媒体循環ライン６４を介して媒体ヒーター６３に流入された熱伝達媒体は、媒体ヒーター６３の下流で合流することができ、このとき、媒体ヒーター６３を迂回した熱伝達媒体の温度は媒体ヒーター６３で加熱された熱伝達媒体より温度が低いことがありえる。この場合は、媒体ヒーター６３を迂回する熱伝達媒体の流量を調節すると、熱交換器５０に流入される熱伝達媒体の温度を効果的に制御することができる。すなわち、本実施例では、熱伝達媒体のうち一部が媒体ヒーター６３を迂回した後、合流することで熱伝達媒体の温度を可変させることができる。
【００７１】
分岐ライン６５には、迂回制御弁６５１を具備することができる。迂回制御弁６５１は、後述するコントローラ９０によって開度が制御され、分岐ライン６５に流入される熱伝達媒体の流量を調節することができる。迂回制御弁６５１は、分岐ライン６５上に設けられる２方向バルブでありえる。
【００７２】
熱源供給ライン６６は、媒体ヒーター６３に熱源を供給する。この時、熱源は、熱伝達媒体を加熱し、加熱された熱伝達媒体が液化ガスを加熱することができるようにしたもので、スチームでありえる。すなわち、熱源供給ライン６６は、蒸気供給ラインでありえる。熱源供給ライン６６上には熱源供給弁６６１を設けることができる。
【００７３】
熱源供給弁６６１は、熱源供給ライン６６の開度を調節することができ、熱源供給弁６６１によって熱源供給ライン６６に沿って流動する蒸気の量が制御され、媒体ヒーター６３で加熱される熱伝達媒体の吐出温度が可変されうる。このような熱源供給弁６６１は、コントローラ９０によって制御することができる。
【００７４】
液化ガス温度センサ７０は、液化ガス供給ライン２１上に設けられ、液化ガスの温度を測定する。液化ガス温度センサ７０は、液化ガス供給ライン２１上でポンプ３０と熱交換器５０との間に設けることができ、高圧ポンプ３２によって加圧された液化ガスの温度を測定することができる。
【００７５】
液化ガスは、熱交換器５０で加熱され、需要先２０に供給されるので、熱交換器５０の前端で液化ガスの温度を測定すると、液化ガスが需要先２０の要求温度に合わせるためにどの程度に加熱が必要であるかを知ることガできる。すなわち、本実施例では、熱交換器５０によって加熱された液化ガスの温度により熱交換器５０の加熱程度を制御するのではなく、熱交換器５０に流入されるべき液化ガスの温度を通じて熱交換器５０に供給されるべき熱伝達媒体の熱量を制御することができる。これをフィードフォワード（Ｆｅｅｄ  Ｆｏｒｗａｒｄ）制御という。
【００７６】
熱量算出器８０は、ポンプ３０の駆動程度により熱交換器５０に供給される液化ガスの流量を算出し、液化ガスの流量及び需要先２０が要求する液化ガスの状態をもとに熱伝達媒体の必要熱量を計算する。この時、ポンプ３０の駆動程度とは、ポンプ３０のＲＰＭを意味し、ポンプ３０は、容積型ポンプ３０でる高圧ポンプ３２でありえる。
【００７７】
熱量算出器８０は、液化ガスの流量、液化ガス温度センサ７０により測定された液化ガスの温度、需要先２０の液化ガスの要求温度を利用して熱伝達媒体の必要熱量を計算することができる。
【００７８】
熱量算出器８０は、液化ガスが需要先２０に適切に供給されるようにするために熱交換器５０から供給されるべき総熱量を算出する構成であり、熱交換器５０に流入される前の液化ガスの流量及び温度を把握し、これを基盤として液化ガスが需要先２０の要求温度に到達するために必要な熱量を熱伝達媒体の必要熱量に算出することができる。
【００７９】
本実施例は、前述した従来の液化ガス処理システム１とは異なり、熱交換器５０に流入される液化ガスの流量と温度を利用して熱交換器５０に投入されるべき熱伝達媒体が含まなければならない熱量を算出することができ、後述するコントローラ９０が熱量算出器８０から熱伝達媒体の必要熱量を受信し、媒体ヒーター６３に流入される熱伝達媒体の流量または媒体ヒーター６３に供給される熱源の量を調節することができる。このようなフィードフォワード制御により、本実施例では、効果的に液化ガスの温度が需要先２０の要求温度に到達できるようにするので、システムの効率を大幅に向上させることができる。
【００８０】
コントローラ９０は、熱量算出器８０から熱伝達媒体の必要熱量を受け取り、媒体ヒーター６３に流入される熱伝達媒体の流量、または媒体ヒーター６３が熱伝達媒体に供給する熱量を可変する。もちろん、コントローラ９０は、熱交換器５０に流入される液化ガスの流量に基づいて熱伝達媒体の流量を可変することもできる。
【００８１】
具体的には、コントローラ９０は、媒体ポンプ６２の駆動を制御して媒体ポンプ６２から媒体ヒーター６３に供給される熱伝達媒体の流量を制御することができ、または分岐ライン６５上に設けられる迂回制御弁６５１を介して分岐ライン６５に流入される熱伝達媒体の流量を調節することができる。それだけでなく、コントローラ９０は、熱源供給ライン６６に備えられる熱源供給弁６６１の開度調節により媒体ヒーター６３が熱伝達媒体に供給する熱源の量を制御し、熱伝達媒体の加熱温度を可変させることができる。
【００８２】
また、コントローラ９０は、媒体ポンプ６２から媒体ヒーター６３に流入される熱伝達媒体の少なくとも一部を媒体タンク６１または媒体ポンプ６２に取り戻して媒体ヒーター６３の流入量を可変することができる。本実施例のコントローラ９０は、上記内容に限定されず、媒体ヒーター６３に供給される熱伝達媒体の流量を可変することができればどのような制御も可能である。
【００８３】
このように本実施例では、熱交換器５０の前端で液化ガス貯蔵タンク１０から供給される液化ガスの流量、温度などを測定し、需要先２０で要求される液化ガスの温度を考慮して液化ガスが熱交換器５０から供給されるべき熱量を熱伝達媒体の必要熱量に算出し、算出された熱伝達媒体の必要熱量に応じて熱伝達媒体の媒体ヒーター６３の流入量または媒体ヒーター６３から熱伝達媒体に供給される熱源の量を調節し、効果的に液化ガスを加熱することができる。
【００８４】
図３は、本発明の一実施例による液化ガス処理方法のフローチャートである。本発明の一実施例による液化ガス処理方法は、前述した本発明の一実施例による液化ガス処理システム２を具現する方法でありえるし、各段階について以下図３を参照して詳細に説明する。
【００８５】
図３に示したように、本発明の一実施例による液化ガス処理方法は、熱交換器５０に供給される液化ガスの流量を算出する段階Ｓ１０、液化ガスの温度を測定する段階Ｓ２０、液化ガスの流量、液化ガスの温度及び需要先２０が要求する液化ガスの状態をもとに熱交換器５０に供給されるべき熱伝達媒体の必要熱量を計算する段階Ｓ３０、熱伝達媒体の必要熱量に応じて媒体ヒーター６３に流入される熱伝達媒体の流量または媒体ヒーター６３が熱伝達媒体に供給する熱量を可変する段階Ｓ４０を含む。
【００８６】
段階Ｓ１０では、熱交換器５０に供給される液化ガスの流量を算出する。液化ガスの流量は、ポンプ３０の駆動程度によって算出することができ、この時、ポンプ３０の駆動程度とは、ポンプ３０のＲＰＭを意味し、ポンプ３０は、ＲＰＭにより液化ガスの流量把握が可能な容積型ポンプ３０であり、高圧ポンプ３２でありえる。
【００８７】
ポンプ３０のＲＰＭにより液化ガスの流量が算出されると、液化ガスが熱交換器５０からどの程度の熱を供給してもらえば需要先２０の要求温度まで加熱されることができるかを知ることができる。もちろん、そのためには液化ガスの温度が必要であり、液化ガスの温度は、段階Ｓ２０で測定される。
【００８８】
段階Ｓ２０では、液化ガスの温度を測定する。液化ガスの温度とは、加熱される前の温度を意味し、段階Ｓ２０で、液化ガス温度センサ７０は、ポンプ３０と熱交換器５０との間の液化ガスの温度を測定することができる。
【００８９】
段階Ｓ１０及びＳ２０を経て熱交換器５０に流入される液化ガスの流量及び温度が把握され、需要先２０で必要とされる液化ガスの温度が与えられると、液化ガスの現在熱量をもとに液化ガスが供給されるべき熱量を算出することができる。液化ガスが供給されるべき熱量は、すぐに熱交換器５０から液化ガスに供給されるべき熱量、すなわち、熱伝達媒体の必要熱量を意味する。このように本実施例では、熱交換器５０前端の液化ガスの流量及び温度をもとにフィードフォワード制御を具現し、効率的な液化ガスの加熱が可能である。
【００９０】
段階Ｓ３０では、液化ガスの流量、液化ガスの温度及び需要先２０が要求する液化ガスの状態をもとに熱交換器５０に供給されるべき熱伝達媒体の必要熱量を計算する。段階Ｓ３０は、前述した熱量算出器８０によって具現することができ、熱量算出器８０は、ポンプ３０のＲＰＭにより液化ガスの流量を把握し、液化ガス温度センサ７０により液化ガスの温度を把握し、熱交換器５０に流入されるべき液化ガスの現在熱量を計算することができる。
【００９１】
また、熱量算出器８０は、需要先２０が必要とされる液化ガスの温度を通じて液化ガスの温度変化量を求めることができ、熱量計算式を使用して液化ガスに供給されるべき熱量を正確に算出することができる。このように算出された熱量は熱伝達媒体の必要熱量で、熱伝達媒体が媒体ヒーター６３で加熱されて到達するべき目標熱量となる。
【００９２】
段階Ｓ４０では、熱伝達媒体の必要熱量に応じて媒体ヒーター６３に流入される熱伝達媒体の流量または媒体ヒーター６３が熱伝達媒体に供給する熱量を可変する。熱伝達媒体の必要熱量は、液化ガスが供給されるべき熱量によって求められ、熱伝達媒体の必要熱量は、媒体ヒーター６３を介して供給される。したがって、熱伝達媒体の必要熱量は、媒体ヒーター６３に流入される熱伝達媒体の流量によって異なる場合があり、または媒体ヒーター６３から熱伝達媒体に伝達される熱源（蒸気等）の量によって異なる場合がある。もちろん、本実施例では、段階Ｓ３０が省略され、Ｓ４０で熱交換器５０に流入される液化ガスの流量に応じて熱伝達媒体の流量を可変することができる。
【００９３】
このように本実施例では、液化ガスの加熱前の温度及び流量をもとに液化ガスが需要先２０の要求状態を満足させるために必要な熱量を熱伝達媒体の必要熱量として算定し、熱伝達媒体がこれらの必要熱量の供給を受けるために、コントローラ９０は、熱伝達媒体の媒体ヒーター６３の流入量または媒体ヒーター６３の熱源供給量を制御することができる。段階Ｓ４０の具体的な動作については、以下図４を参照して詳細に説明する。
【００９４】
図４は、本発明の一実施例による液化ガス処理方法の段階Ｓ４０の詳細フローチャートである。図４に示したように、本発明の一実施例による液化ガス処理方法の段階Ｓ４０は、少なくとも一部の熱伝達媒体が媒体ヒータ６３を迂回させるが、媒体ヒーター６３を迂回する熱伝達媒体の流量を制御する段階Ｓ４１、媒体ヒーター６３に熱伝達媒体を供給する媒体ポンプ６２の駆動を制御する段階Ｓ４２、媒体ヒーター６３に流入された熱伝達媒体に供給される熱源の量を制御する段階Ｓ４３を含むことができる。
【００９５】
段階Ｓ４１では、少なくとも一部の熱伝達媒体が媒体ヒータ６３を迂回させるが、媒体ヒーター６３を迂回する熱伝達媒体の流量を制御する。このため、本実施例は、前述の分岐ライン６５を使用することができる。
【００９６】
熱伝達媒体は、媒体ポンプ６２を経て媒体ヒーター６３に流入されるが、一部の熱伝達媒体は、分岐ライン６５上に設けられる迂回制御弁６５１によって分岐ライン６５を経て媒体ヒーター６３の下流に流れ、残りの熱伝達媒体は、媒体ヒーター６３に流入されて、媒体ヒーター６３で蒸気等により加熱されうる。この時、媒体ヒーター６３を迂回する熱伝達媒体の流量が多いほど、媒体ヒーター６３の下流、すなわち、熱交換器５０の上流で感知される熱伝達媒体の温度が低くなることができ、逆に媒体ヒーター６３を迂回する熱伝達媒体の流量が少ないほど、熱交換器５０に流入される熱伝達媒体の温度は高くなりうる。このように本実施例では、熱伝達媒体が媒体ヒータ６３を迂回できるようにするが、迂回する流量を可変することにより、熱伝達媒体の温度を変化させて熱交換器５０に流入される熱伝達媒体が前段階Ｓ３０で算出された熱伝達媒体の必要熱量が内包されるようにすることができる。
【００９７】
段階Ｓ４２では、媒体ヒーター６３に熱伝達媒体を供給する媒体ポンプ６２の駆動を制御する。段階Ｓ４１では、熱伝達媒体の一部が媒体ヒーター６３を迂回するようにした反面、段階Ｓ４２では媒体ヒーター６３に流入される熱伝達媒体の流れを変化させることができる。すなわち、本実施例では、媒体ポンプ６２の速度や圧力などを制御し、媒体ポンプ６２から媒体ヒーター６３に供給される流量を可変させることができ、これにより、段階Ｓ４１と同様に熱伝達媒体が必要熱量を持って熱交換器５０に流入されるようにすることができる。
【００９８】
段階Ｓ４３では、媒体ヒーター６３に流入された熱伝達媒体に供給される熱源の量を制御する。段階Ｓ４１とＳ４２の場合、媒体ヒーター６３に流入される熱伝達媒体の流量を制御するのに対し、段階Ｓ４３の場合、媒体ヒーター６３の熱源供給量を制御することができる。この時、熱源は蒸気でありえるし、熱源の量は、媒体ヒーター６３に連結された熱源供給ライン６６の開度調節によって行うことができる。熱源供給ライン６６の開度は、熱源供給ライン６６上に設けられた熱源供給弁６６１によって具現されうる。
【００９９】
熱源の量が可変されると、媒体ヒーター６３で加熱されて吐出された熱伝達媒体の熱量が異なることがあり、これにより、本実施例では、熱伝達媒体が熱交換器５０で液化ガスを需要先２０の要求温度まで十分に加熱することができる。
【０１００】
段階Ｓ４１乃至Ｓ４３の場合、それぞれ個別に動作することができるが、本実施例はこれに限定されず、段階Ｓ４１乃至Ｓ４３の少なくともいずれか１つが同時に動作する場合をも含むことができる。すなわち、熱伝達媒体の必要熱量を合わせるために、熱伝達媒体の媒体ヒーター６３の迂回流量が調節されると同時に蒸気の供給量が調節されることもできる。
【０１０１】
本実施例では、段階Ｓ４１乃至Ｓ４３のほかにも、媒体ヒーター６３に供給される熱伝達媒体の一部を媒体タンク６１などで回収する方式を使用して熱伝達媒体が熱交換器５０に流入されるとき熱伝達媒体に含まれている熱量を可変させることができる。
【０１０２】
このように本実施例では、熱交換器５０に流入される前の液化ガスの流量及び温度により液化ガスが必要とする熱量を算出し、これを液化ガスに熱を供給する熱伝達媒体の必要熱量として算定し、熱伝達媒体の必要熱量を合わせるために熱伝達媒体が媒体ヒーター６３に供給される流量または媒体ヒーター６３から熱伝達媒体に供給される熱源の量などを変化させることにより、フィードフォワード制御による効果的な液化ガスの供給が可能である。
【０１０３】
以上説明したように、本発明の最も好ましい実施例について説明したが、本発明は、上記記載に限定されるものではなく、特許請求の範囲に記載され、又は明細書に開示された発明の要旨に基づき、当業者において様々な変形や変更が可能なのはもちろんであり、斯かる変形や変更が、本発明の範囲に含まれることは言うまでもない。
【符号の説明】
【０１０４】
１  従来の液化ガス処理システム、
２  本発明の液化ガス処理システム、
１０  液化ガス貯蔵タンク、
２０  需要先、
２１  液化ガス供給ライン、
３０  ポンプ、
３１  ブーストポンプ、
３２  高圧ポンプ、
４０  電気ヒータ、
５０  熱交換器、
６０  媒体供給装置、
６１  媒体タンク、
６２  媒体ポンプ、
６３  媒体ヒーター、
６４  媒体循環ライン、
６５  分岐ライン、
６５１  迂回制御弁、
６６  熱源供給ライン、
６６１  熱源供給弁、
７０  液化ガス温度センサー、
８０  熱量算出器、
９０  コントローラ
【図１】
2014520240.tif 000003
【図２】
2014520240.tif 000004
【図３】
2014520240.tif 000005
【図４】
2014520240.tif 000006
【国際調査報告】
2014520240.tif 000007
2014520240.tif 000008
2014520240.tif 000009
2014520240.tif 000010